(57)【要約】【課題】  車両の前照灯に関する注意喚起において、煩わしさを低減することが可能な車両用表示装置を提供する。【解決手段】  車両外の明るさを判別する明暗判別手段１と、前記車両の前照灯がオンかオフかを判定する点灯判別手段２と、車両の速度を検出する車速検出手段３と、前記車両の利用者に対して情報を報知する報知手段４と、明暗判別手段１によって暗いと判定され、かつ点灯判別手段２によって前記前照灯が消灯状態であり、かつ車速検出手段３に基づいて所定速度以上であると判定した場合に、前記前照灯の点灯を促す出力を行うように報知手段４を制御する制御手段５と、を備えてなる。【選択図】  図１
2011168067.tif 000002
【特許請求の範囲】
【請求項１】
車両外の明るさを判別する明暗判別手段と、
前記車両の前照灯がオンかオフかを判定する点灯判別手段と、
車両の速度を検出する車速検出手段と、
前記車両の利用者に対して情報を報知する報知手段と、
前記明暗判別手段によって暗いと判定され、かつ前記点灯判別手段によって前記前照灯が消灯状態であり、かつ前記車速検出手段に基づいて所定速度以上であると判定した場合に、前記前照灯の点灯を促す出力を行うように前記報知手段を制御する制御手段と、
を備えたことを特徴とする車両用表示装置。
【請求項２】
前記制御手段は、前記明暗判別手段によって明るいと判定され、かつ前記点灯判別手段によって前記前照灯が点灯状態であり、かつ前記車速検出手段に基づいて所定速度以上であると判定した場合に、前記前照灯の点灯状態を報知するように前記報知手段を制御することを特徴とする請求項１に記載の車両用表示装置。
【請求項３】
前記明暗判別手段は、時刻、または照度情報に基づいて明暗判定することを特徴とする請求項１に記載の車両用表示装置。
【発明の詳細な説明】
【技術分野】
【０００１】
本発明は、車両に搭載される前照灯の状態を報知する車両用表示装置に関する。
【背景技術】
【０００２】
従来、車両に搭載されるハイビームや車幅灯を含むヘッドライトからなる前照灯を備えた車両において、車両のインストルメントパネルに設けられるインジケータによって、前照灯の操作状態が確認できるようにするものがあり、例えば、特許文献１に開示されている。
【０００３】
また、日没時間や日出時間を基準として、前照灯について注意喚起を行う車両ナビゲーション装置が提案されており、例えば、特許文献２に開示される。
【先行技術文献】
【特許文献】
【０００４】
【特許文献１】特開２００６−２５０５９６号公報
【特許文献２】特開平１１−３１００７７号公報
【発明の概要】
【発明が解決しようとする課題】
【０００５】
しかしながら、車両の利用状態において、夜間であっても車両停車中に一次的に前照灯を消灯したい場合など、必要以上の注意喚起が行われると、車両利用者にとって煩わしいという問題があった。
【０００６】
そこで本発明の目的は、上述した課題に着目してなされたものであって、車両の前照灯に関する注意喚起において、煩わしさを低減することが可能な車両用表示装置を提供することにある。
【課題を解決するための手段】
【０００７】
本発明の車両用表示装置は、車両外の明るさを判別する明暗判別手段と、前記車両の前照灯がオンかオフかを判定する点灯判別手段と、車両の速度を検出する車速検出手段と、前記車両の利用者に対して情報を報知する報知手段と、前記明暗判別手段によって暗いと判定され、かつ前記点灯判別手段によって前記前照灯が消灯状態であり、かつ前記車速検出手段に基づいて所定速度以上であると判定した場合に、前記前照灯の点灯を促す出力を行うように前記報知手段を制御する制御手段と、を備えたことを特徴とする。
【０００８】
また、前記制御手段は、前記明暗判別手段によって明るいと判定され、かつ前記点灯判別手段によって前記前照灯が点灯状態であり、かつ前記車速検出手段に基づいて所定速度以上であると判定した場合に、前記前照灯の点灯状態を報知するように前記報知手段を制御することを特徴とする。
【０００９】
また、前記明暗判別手段は、時刻、または照度情報に基づいて明暗判定することを特徴とする。
【発明の効果】
【００１０】
本発明の車両用表示装置は、車両の前照灯に関する注意間において、煩わしさを低減することが可能となる。
【図面の簡単な説明】
【００１１】
【図１】本発明の実施の形態の車両用表示装置の構成を示す図。
【発明を実施するための形態】
【００１２】
以下、本発明の車両用表示装置の実施の形態として、車両に搭載された計器に適用したものを例に挙げて、添付図面を用いて説明する。
【００１３】
図１は、本発明に関する計器の構成を示すものであり、明暗判別手段１と、点灯判別手段２、車速検出手段３と、報知手段４と、制御手段５とを備えている。
【００１４】
明暗判別手段１は、マイクロコンピュータを適用でき、日時情報と車両位置情報とから算出される日没、日出時刻から、車両外の明暗を判別する。例えば、日出時刻後所定時間経過してから日没時刻前所定時間までの時間帯を十分に明るいと判別し、それ以外の時間帯を暗いと判別できる。なお、明暗判別手段１は、単に時刻に基づいて昼夜に基づく明暗を判別しても良いし、あるいは車載照度センサからの情報に基づいて明暗判別するものであってもよい。また、車両位置における天気情報に応じて、太陽光による明るさを加味することも考えられる。
【００１５】
点灯判別手段２は、車両の前照灯が点灯状態であるか消灯状態であるかを判別し、この場合、前照灯の操作スイッチからの信号に基づいて判別することができる。
【００１６】
車速検出手段３は、車両の走行速度に応じた信号を出力するものであり、この信号を計器の制御手段５へ出力している。この場合、車速検出手段３は、車輪の回転を検出するセンサを適用でき、所定走行距離毎に信号出力する。
【００１７】
報知手段４は、車両情報を表示する液晶または有機ＥＬを用いた表示パネルを適用でき、制御手段５からの制御信号に基づいて、文字や記号、マークなどの表示出力することができる。また、この場合、報知手段４は、制御手段５からの制御信号に基づいて音声出力するためのスピーカも設けており、車両利用者に対して、音声にて車両情報等を知らせることができる。
【００１８】
制御手段５は、明暗判別手段１や点灯判別手段２を構成するマイクロコンピュータを適用でき、明暗判別手段１や点灯判別手段２からの判別結果や、車速検出手段３からの車速や外気温度など車両情報を入力できるように構成される。制御手段５は、これらの情報に基づいて所定の演算処理を行い、演算結果に応じて報知手段４を制御するための制御信号を生成し出力する。
【００１９】
また、制御手段５は、明暗判別手段１によって暗いと判定され、かつ点灯判別手段２によって前照灯が消灯状態であり、かつ車速検出手段３に基づいて所定速度（例えば、１０ｋｍ／ｈ）以上であると判定した場合に、前照灯の点灯を促す出力を行うように報知手段４を制御する。この場合、制御手段５は、音声や表示によって「ライトを点灯しましょう」などの出力を一定時間だけ行うように報知手段４を制御する。なお、一定時間後に報知手段４による注意喚起を止めることによって、煩わしさを低減することができるが、表示だけ継続しておくこともできる。
【００２０】
また、制御手段５は、明暗判別手段１によって明るいと判定され、かつ点灯判別手段２によって前照灯が点灯状態であり、かつ車速検出手段３に基づいて所定速度以上であると判定した場合に、前照灯の点灯状態を報知するように報知手段４を制御する。この場合、制御手段５は、音声、または表示によって、「ライトが点灯中です」などの出力を一定時間だけ行うように報知手段４を制御する。
【００２１】
斯かる車両用表示装置は、車両外の明るさを判別する明暗判別手段１と、前記車両の前照灯がオンかオフかを判定する点灯判別手段２と、車両の速度を検出する車速検出手段３と、前記車両の利用者に対して情報を報知する報知手段４と、明暗判別手段１によって暗いと判定され、かつ点灯判別手段２によって前記前照灯が消灯状態であり、かつ車速検出手段３に基づいて所定速度以上であると判定した場合に、前記前照灯の点灯を促す出力を行うように報知手段４を制御する制御手段５と、を備えてなる。
【００２２】
従って、車両の前照灯に関する注意喚起において、例えば、夜間、暗い環境であっても車両駐車時に一次的に前照灯を消灯したい場合など、必要以上の注意喚起が行われることなく、煩わしさを低減できる。また、車両走行時にあっては、注意喚起することによって、前照灯の点け忘れを低減できる。
【００２３】
また、制御手段５は、明暗判別手段１によって明るいと判定され、かつ点灯判別手段２によって前記前照灯が点灯状態であり、かつ車速検出手段３に基づいて所定速度以上であると判定した場合に、前記前照灯の点灯状態を報知するように報知手段４を制御することによって、例えば、昼間など明るい環境での車両走行中に前照灯の点灯が必要であるか車両利用者に確認を促すことができ、前照灯の消し忘れを低減できる。
【００２４】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、表示や音声にて上述注意喚起する際に、照明光源からの輝度を変化させることもできる。また、注意喚起する際に段階的に輝度や音圧を高めることもでき、効果的に報知できる。
【産業上の利用可能性】
【００２５】
本発明は、例えば、自動車、オートバイ、あるいは農業機械や建設機械を備えた移動体に搭載される車両用表示装置として適用できる。
【符号の説明】
【００２６】
１  明暗判別手段
２  点灯判別手段
３  車速検出手段
４  報知手段
５  制御手段
【図１】
2011168067.tif 000003